(57)【要約】【課題】容器頭部に装着されてノズルをカバーするカバーキャップを利用した構造的に嵩張らないエアゾール容器の広域付着用噴射器を提供する。【解決手段】ノズル１０の上端開口面に、付着対象物をセットさせる網目部１４が形成されたノズル１０が、広角噴射を行う噴口を中心部に備えた漏斗状に形成される。カバーキャップ２０は、エアゾール容器１の頭部に装着されるカバーキャップ基部２１と、このカバーキャップ基部に着脱自在に装着され、かつノズル１０を上方からカバーするカバーキャップ上部２７とより構成される。使用に際しては、カバーキャップ上部２７を外して、網目部１４に付着対象物をセットしてノズル１０を直接押下げ操作することにより、内容物が付着対象物の網目部１４の面積に対応した広い範囲に付着され、ノズル１０は、カバーキャップ基部２１による昇降可能なガイドにより傾倒も拘束される。【選択図】          図１
2004216269.tif 000002
【特許請求の範囲】
【請求項１】
押下げ操作されるノズルがエアゾール容器の頭部に突設されたバルブステムに嵌着し、ノズル上方にセットされる付着対象物に対して広域にわたり内溶物を付着させるためのエアゾール容器の広域付着用噴射器において、
ノズルが、広角噴射を行う噴口を中心部に備えた漏斗状に形成され、
カバーキャップが、エアゾール容器頭部に装着されて前記ノズルの外周面部を昇降可能にガイドするカバーキャップ基部と、このカバーキャップ基部に着脱自在に装着され、かつ前記ノズルを上方からカバーするカバーキャップ上部とより構成され、
ノズルの上端開口面に、付着対象物をセットさせる網目部が形成されていることを特徴とするエアゾール容器の広域付着用噴射器。
【請求項２】
押下げ操作されるノズルがエアゾール容器の頭部に突設されたバルブステムに嵌着し、ノズル上方にセットされる付着対象物に対して広域にわたり内溶物を付着させるためのエアゾール容器の広域付着用噴射器において、
ノズルが、広角噴射を行う噴口を中心部に備えた漏斗状に形成され、
カバーキャップが、エアゾール容器頭部に装着されるカバーキャップ基部と、このカバーキャップ基部に回転操作自在に装着され、かつ前記ノズルの外周面部を昇降可能にガイドするカバーキャップ上部とより構成され、
このカバーキャップ上部の内周面に駆動部が突設され、また前記ノズルの外周面部に、カバーキャップ上部の回転操作により前記駆動部で押下げ駆動される被駆動部が形成され、
前記ノズル及び前記カバーキャップ上部の少なくとも一方の上端開口面に、付着対象物をセットさせる網目部が形成されていることを特徴とするエアゾール容器の広域付着用噴射器。
【請求項３】
押下げ操作されるノズルがエアゾール容器の頭部に突設されたバルブステムに嵌着し、ノズル上方にセットされる付着対象物に対して広域にわたり内溶液を付着させるためのエアゾール容器の広域付着用噴射器において、ノズルが、広角噴射を行う噴口を中心部に備えた漏斗状に形成され、
エアゾール容器頭部に装着されて前記ノズルをカバーするカバーキャップが、エアゾール容器頭部に装着されるカバーキャップ基部と、回転操作により昇降するようにカバーキャップ基部に係合し、かつ前記ノズルの外周面部に回転可能に接面するカバーキャップ上部とより構成され、
このカバーキャップ上部に、その回転操作による下降に連動して前記ノズルを下方へ駆動する駆動部が形成され、
前記ノズル及び前記カバーキャップ上部の少なくとも一方の上端開口面に、付着対象物をセットさせる網目部が形成されていることを特徴とする広域付着用噴射器。
【請求項４】
漏斗状のノズルの中心部に、バルブステムに嵌着し、かつ噴口部材が上方から嵌入されるパイプ状嵌着部が形成されると共に、噴口部材が、前記パイプ状嵌着部に嵌入されるネック部と、その上方に形成され、かつ前記ノズルの漏斗状開口面部に接面する逆円錐台状噴口部材本体とを備え、
この噴口部材本体の外周面に、先端が噴射口となる流通溝が放射状に形成されると共に、前記ネック部の外周面に、前記流通溝及び前記バルブステムにそれぞれ連通する流通溝が形成され、
前記噴口部材の中心部に、先端が噴射口となり、基端が前記バルブステムに連通する中心流通溝が形成されたことを特徴とする請求項１乃至請求項３のいずれか記載のエアゾール容器の広域付着用噴射器。
【発明の詳細な説明】
【０００１】
【発明の属する技術分野】
本発明は、押下げ操作されるエアゾール容器の頭部に突設されたバルブステムに嵌着し、ノズル上方にセットされる付着対象物に対して広域にわたり内溶物を付着させるためのエアゾール容器の広域付着用噴射器に関するものである。
【０００２】
【従来の技術】
特許文献１又は特許文献２により、カバーキャップを反転させて或は予めカバーキャップの下端に昇降ストロークを残しておいて反転させることなく、カバーキャップ上端に載せた手足で直接或はパフ、ティッシュ等の付着対象物を介して押下げ操作することにより、カバーキャップ開口面の広い範囲に消毒剤、消臭剤、液状化粧品、香料等の内容物を付着させるようになったエアゾール容器の広域付着用噴射器が周知である。
【０００３】
特許文献３により、カバーキャップを外した状態て、複数の噴射口を有する広い開口面積のノズルに付着対象物を載せて押下げ操作するエアゾール容器の広域付着用噴射器も周知である。その際、ノズルは、複数の噴射口及びバルブステム間を連通させる複数の流通溝を一体成形に依らずに簡単に形成するために、別部材が嵌入されている。さらに、このような広角噴射のために、特許文献４によれば、ポンプの吐出パイプ用として、放射状の凹状の流通溝が形成された逆円錐台状別部材を嵌入させる類似の構成のノズルも提案されている。
【０００４】
【特許文献１】
実公昭６２−９９７３号公報
【特許文献２】
実公昭６２−２５２２４号公報
【特許文献３】
特開２００２−３５６５３号公報
【特許文献４】
実用新案登録第２５９２４４８号公報
【０００５】
【発明が解決しようとする課題】
しかしながら、特許文献１又は特許文献２による噴射器は、使用時にカバーキャップの反転を要したり、或は要さない場合にはカバーキャップの下端に昇降ストロークを残しておくために、通常状態でカバー機能が損なわれる。また、カバーキャップの昇降をガイドする台座を容器頭部に設ける必要があり、さらにカバーキャップの内部にバルブステムの駆動部を形成する必要があり、嵩張った構造になる。特許文献３による噴射器の場合も広角噴射面を有するノズルの昇降をガイドする台座が別途に必要になる。
【０００６】
本発明は、このような点に鑑みて、容器頭部に装着されてノズルをカバーするカバーキャップを利用した構造的に嵩張らない冒頭に述べた類のエアゾール容器の広域付着用噴射器を提供することを目的とする。
【０００７】
【課題を解決するための手段】
本発明は、この目的を達成するために、請求項１により、押下げ操作されるノズルがエアゾール容器の頭部に突設されたバルブステムに嵌着し、ノズル上方にセットされる付着対象物に対して広域にわたり内溶物を付着させるためのエアゾール容器の広域付着用噴射器において、ノズルが、広角噴射を行う噴口を中心部に備えた漏斗状に形成され、カバーキャップが、エアゾール容器頭部に装着されてノズルの外周面部を昇降可能にガイドするカバーキャップ基部と、このカバーキャップ基部に着脱自在に装着され、かつノズルを上方からカバーするカバーキャップ上部とより構成され、ノズルの上端開口面に、付着対象物をセットさせる網目部が形成されていることを特徴とする。使用に際しては、カバーキャップ上部を外して、ノズルの網目部に付着対象物をセットしてノズルを直接押下げ操作する。これにより、容器の内容物が付着対象物の網目部の面積に対応した広い範囲に付着される。ノズルは、カバーキャップ基部による昇降可能なガイドにより傾倒も拘束される。
【０００８】
カバーキャップの回転操作によりノズルを押下げ操作するには、請求項２により、カバーキャップが、エアゾール容器頭部に装着されるカバーキャップ基部と、このカバーキャップ基部に回転操作自在に装着され、かつノズルの外周面部を昇降可能にガイドするカバーキャップ上部とより構成され、このカバーキャップ上部の内周面に駆動部が突設され、またノズルの外周面部に、カバーキャップ上部の回転操作により駆動部で押下げ駆動される被駆動部が形成される。
【０００９】
さらに、回転操作により昇降するカバーキャップによりノズルを押下げ操作するには、請求項３により、エアゾール容器頭部に装着されてノズルをカバーするカバーキャップが、エアゾール容器頭部に装着されるカバーキャップ基部と、回転操作により昇降するようにカバーキャップ基部に係合し、かつノズルの外周面部に回転可能に接面するカバーキャップ上部とより構成され、このカバーキャップ上部に、その回転操作による下降に連動してノズルを下方へ駆動する駆動部が形成される。
【００１０】
【発明の実施の形態】
図１乃至図２を基に本発明の実施の形態の一例によるエアゾール容器の広域付着用噴射器を説明する。この噴射器は、エアゾール容器１の本体上端に巻締め部４ａで眼鏡蓋４が装着され、その上端に巻締め部２ａで装着されたマウンティングカップ２から突出するバルブステム３に漏斗状のノズル１０が嵌着し、さらにこのノズルを巻締め部４ａに装着されたカバーキャップ２０でカバーすることにより構成されている。
【００１１】
カバーキャップ２０は、巻締め部４ａに下端の突出部２３で外係合して、ノズル１０の外周面部１３を昇降可能にするカバーキャップ基部２１と、このカバーキャップ基部の上端部の段差面に形成された凹部に凸部２４で着脱自在に係合して同一外周面状に装着され、かつノズル１０を上方からカバーするカバーキャップ上部２７とより構成されている。
【００１２】
ノズル１０の中心部には、バルブステム３に嵌着し、噴口部材１５が嵌入されるパイプ状嵌着部１１が形成されると共に、この嵌着部から漏斗状に開口角が２段階に変化する開口面部１２，１２ａが形成され、その上端部から垂直下方に向けて形成された外周面部１３で周囲が包囲されている。ノズル１０の先端開口面には、手足、ティッシュ等の付着対象物をセットさせる網目部１４が形成されている。この網目部は、その線状部に対してこれで囲まれる開口部１４ａを大きく形成して、線状部による噴射液の反射を抑制している。
【００１３】
噴口部材１５は、図２に示すように、パイプ状嵌着部１１に嵌入されるネック部１５ａと、その上方に形成され、かつ開口面部１２に接面する逆円錐台状噴口部材本体１５ｂとを備えている。その逆円錐状外周面には、先端が噴射口１７となる流通溝１６が放射状に６個形成されると共に、六角形状ネック部１５ａの外周面は、上端で流通溝１６にそれぞれ連通し、下方の空間部を介してバルブステム３にそれぞれ連通する流通溝１６ａを形成するようになっている。さらに、噴口部材１５の中心部には、先端の噴射口１７ａに連通する垂直方向の流通溝１８が形成されている。
【００１４】
このように構成されたエアゾール容器の広域付着用噴射器の動作は次の通りである。使用に際しては、カバーキャップ上部２７を外して、外周円形の網目部１４上に例えば手を載せて押下げ操作すると、外周面部１３がカバーキャップ基部２１の内周面部２５にガイドされて下降することにより、バルブステム３を下動させる。これにより、押下げ操作中、噴口部材１５から漏斗状の開口面部１２，１２ａに沿って６個の流通溝１６，１６ａの噴射口１７から拡散しつつ放射状に噴射され、中心部で流通溝１８の噴射口１７ａから拡散しつつ噴射され、網目部１４から略均一に手の広い範囲に内容物である例えば除菌剤が付着される。また、網目部１４を備えることにより、ティッシュ、トイレットペーパ等の柔らかな付着対象物が撓むことなくセットされ、押下げ操作により除菌剤を浸潤させて、除菌のために使用することができる。ノズル１０は、カバーキャップ基部２１による昇降ガイドにより、使用時の傾倒が拘束され、したがってそれに起因するバルブステム３の折れも回避される。
【００１５】
図３及び図４は別の実施の形態によるエアゾール容器の広域付着用噴射器を示すもので、前述のものと同一もしくは同等部分は同一符号で説明する。カバーキャップ４０は、巻締め部４ａに下端部で外係合するカバーキャップ基部４１と、このカバーキャップ基部の上端部の段差部４３の凸部４４に凹部で回転操作自在に係合した状態に装着され、かつ上端開口面に網目部４２を備えたカバーキャップ上部４７とより構成されている。ノズル３０の漏斗状開口面部３２の上端部分の環状の外周面部３７は、カバーキャップ上部４７の内周面に昇降可能にガイドされるように接面している。ノズル３０の中心部のパイプ状嵌着部３１には、逆円錐台状の噴射口３６を備えて広角噴射を行う噴口部材３５が嵌入されている。
【００１６】
さらに、カバーキャップ上部４７の回転操作によりノズル３０を押下げ操作するように、カバーキャップ上部４７の上端部、即ち網目部４２の外周部の下方領域には、その内周面からの環状突出部４６が形成され、その底面部の両側には相対的に下方へ変位した駆動部４８が形成されている。ノズル３０の断面が階段状の外周面部３７の段差面となる上面部は、両側の駆動部４８間に形成された両側の凹部４８ａに形状相補的に係合するように、上方へ変位した両側の被駆動部３８が形成されている。
【００１７】
使用に際しては、カバーキャップ上部４７を回転操作すると、ノズル３０がカバーキャップ上部４７でガイドされた状態で、駆動部４８が互いの傾斜面に沿って被駆動部３８に乗り上げて駆動され、被駆動部３８の互いの高さ幅に対応するストローク量だけ押下げ操作が行われ、ノズル３０の上端から僅かに離間した網目部４２の全域に向けて噴射される。
【００１８】
図５はさらに別の実施の形態による広域付着用噴射器を示すもので、前述のものと同一もしくは同等部分は同一符号で説明する。カバーキャップ６０のカバーキャップ基部６１は、頭部にマウンティングカップ２が巻締め部２ａで装着されたエアゾール容器１ａの肩部に下端部が当接し、かつ途中の突起部６９で巻締め部２ａに外係合する。カバーキャップ上部６７は、その上端に形成されたフランジ状駆動部６８で、上端開口面に網目部５３が形成された漏斗状ノズル５０の上端部の周辺上面に係合すると共に、基端部の所定の回転範囲に形成されたねじ山６４で、カバーキャップ基部６１に形成されたねじ溝６３に係合している。ノズル５０の上端部外周面は、カバーキャップ上部６７の上端部内周面にその回転を許容し、かつ傾倒を拘束されるように接面している。
【００１９】
カバーキャップ上部６７が、ねじ山６４の倍幅のねじ溝６３に沿ってその制限範囲内で一方の回転方向に回転操作されると、ノズル５０は回転することなく、駆動部６８でねじ溝６３の傾斜幅だけ下方へ駆動され、その回転位置で噴射が持続的に行われる。逆方向の回転操作により噴射が停止する。
【００２０】
尚、図６に示すように、前述の螺合に代えて、カバーキャップ上部６７及びカバーキャップ基部６１の一方の両側にピン７１を突設し、他方にこのピンを係入させるガイド溝７０を形成することにより、同様にカバーキャップ上部６７の回転操作でノズル５０を押下げ操作することもできる。
【００２１】
【発明の効果】
請求項１の発明によれば、漏斗状ノズルと、その昇降をガイドし、かつ容器頭部をカバーするカバーキャップとにより簡単に構成され、使用時にカバーキャップ上部を外してノズルを直接押下げ操作させるエアゾール容器の広域付着用噴射器が実現される。請求項２の発明によれば、カバーキャップ上部を外すことなく、その回転操作に連動してノズルが押下げ操作される。請求項３の発明によれば、カバーキャップ上部の回転操作による下降に連動してノズルが押下げ操作される。請求項４の発明によれば、斜め放射状及び中心上方への広範囲の噴射を行うノズルが、嵌入部材により容易に製作される。
【図面の簡単な説明】
【図１】本発明の実施の形態によるエアゾール容器の広域付着用噴射器の断面図である。
【図２】同噴射器のノズルの噴口部材の斜視図である。
【図３】別の実施の形態による広域付着用噴射器の断面図である。
【図４】図３による噴射器のノズルの駆動構造を説明する部分側面図である。
【図５】さらに別の実施の形態による広域付着用噴射器の断面図である。
【図６】図５による噴射器のノズルの駆動構造の変形例を説明する断面図である。
【符号の説明】
１  エアゾール容器
２  マウンティングカップ
３  バルブステム
１０，３０，５０  ノズル
１３，３７  ノズルの外周面部
１４，４２，５３  網目部
１５，３５  噴口部材
１７，１７ａ，３６  噴射口
２０，４０，６０  カバーキャップ
２１，４１，６１  カバーキャップ基部
２７，４７，６７  カバーキャップ上部
３８  被駆動部
４８  駆動部
６３  ねじ溝
６４  ねじ山
７０  ガイド溝
７１  ピン
【図１】
2004216269.tif 000003
【図２】
2004216269.tif 000004
【図３】
2004216269.tif 000005
【図４】
2004216269.tif 000006
【図５】
2004216269.tif 000007
【図６】
2004216269.tif 000008